(57)【特許請求の範囲】
【請求項１】
廊下を介して対向する位置に寝室と洗面脱衣室とが配置されると共に前記寝室と前記洗面脱衣室との間に便所が配置され、前記廊下と前記寝室との間及び前記廊下と前記洗面脱衣室との間及び前記廊下と前記便所との間に出入り口が設けられ、その出入り口には引き戸が設けられ、前記便所内の着座位置の前後方向と前記廊下と前記便所との出入り口の出入り方向とが交差し、かつ前記引き戸の開閉方向と前記便所内の着座位置の前後方向とが同一方向となる様に前記便所内に便器が配置され、前記出入り口の引戸が設けられた壁面の便器の側面は固定された間仕切り壁が設けられ、便座の両側面及び背面及び正面は壁で囲われており、さらに前記寝室及び前記廊下と隣接して居間及び／又は食事室（以下「居間・食事室」とする）が配置され、前記寝室及び前記廊下と居間・食事室との間にそれぞれ出入り口が設けられ、前記居間・食事室を介して前記寝室とは反対側で前記居間・食事室に隣り合う位置の、前記第１層の床より半階高い第２層上に居室が設けられ、前記居間・食事室には、前記第２層に上がる階段が設けられることを特徴とする住宅。
【請求項２】
廊下を介して対向する位置に寝室と洗面脱衣室とが配置されると共に前記寝室と前記洗面脱衣室との間に便所が配置され、前記廊下と前記寝室との間及び前記廊下と前記洗面脱衣室との間及び前記廊下と前記便所との間に出入り口が設けられ、その出入り口には引き戸が設けられ、前記便所内の着座位置の前後方向と前記廊下と前記便所との出入り口の出入り方向とが交差し、かつ前記引き戸の開閉方向と前記便所内の着座位置の前後方向とが同一方向となる様に前記便所内に便器が配置され、前記便器に着座した状態の左右両側には固定された間仕切り壁が設けられ前記引き戸によって開閉される前記出入り口は前記固定された間仕切り壁に形成されており、さらに前記寝室及び前記廊下と隣接して居間・食事室が配置され、前記寝室及び前記廊下と居間・食事室との間にそれぞれ出入り口が設けられ、前記居間・食事室を介して前記寝室とは反対側で前記居間・食事室に隣り合う位置の、前記１層の床より半階高い第２層上に居室が設けられ、前記居間・食事室には、前記第２層に上がる階段が設けられることを特徴とする住宅。 
【発明の詳細な説明】
【技術分野】
【０００１】
本発明は、長寿社会に対応することができる様に高齢者、幼児、療養患者等の被介護者や介護者を含む家族の居住に適する様に日常生活空間内の付帯設備や構造に配慮した住宅に関する。
【背景技術】
【０００２】
本格的長寿社会を迎え、高齢者が住み慣れた地域社会で可能な限り安心して生活できるようにすることが、現在の住宅施策における課題となっている。したがって、住宅の建築にあたっては、健常者にとって住みやすいというだけではなく、加齢によって一定の身体機能の低下や障害が生じた場合においてもそのまま住み続けることを可能とし、居住者ができるかぎり長い間自立した日常生活を送ることができるように、建築当初から配慮することが必要とされる。
また、社会福祉施策においては在宅介護の充実が重要な課題となっており、その円滑な推進を図るため、住宅の設計に当たっては介護のしやすさにも配慮する必要がある。
この在宅介護の充実という重要課題における介護の対象として検討される被介護者は多くの場合、高齢者であるとしても必ずしも高齢者に限られると言うことはできない。
すなわち、成人の健常者を標準とした場合に、一時的若しくは慢性的に身体機能が低下している人、若しくは今後身体機能が高まることが予定されるとはしても、現状では成人の健常者と比較した場合に身体機能が低い人も、保護されるべき対象であるという点では被介護者と同様にその住環境を検討することが望まれる。
例えば一時的若しくは慢性的な病気に被患している人、または未だ成人に至らない乳幼児、幼児、若しくは児童であって成人の健常者と比較した場合に身体機能が低いと一般的に認められる住人であり、このような人達も被介護者に含まれるものとして検討しなければならない。
【０００３】
このような課題に向けて特許文献１には、介護者のプライバシーを適度に保持しつつ、被介護者への親密な介護を可能にすると共に、介護に重要なサニタリースペースの使用し易さを向上させることを目的とした被介護者室付き住宅が開示された。この被介護者室付き住宅では、浴室、トイレ、洗面脱衣室等からなるサニタリースペースは、被介護者室及び介護者室の双方向と、隣接するダイニングとから出入り可能とする配置が採用されている。
【０００４】
【特許文献１】特開２００３−１３８７６２
【発明の開示】
【発明が解決しようとする課題】
【０００５】
特許文献１の被介護者室付き住宅によれば、サニタリースペースへは介護者室やダイニングからも直接出入り可能にするものとして、被介護者、介護者、その他の住人それぞれの使用効率を単に形式的に均等化したというものに過ぎず、体力の優劣や移動及び生活動作能力の高低に着目し、使用効率を実質的に向上するという視点での検討は行われてはいない。
【０００６】
しかも、特許文献１の被介護者室付き住宅では被介護者のプライバシーを適度に保持すると記載されてはいるものの、被介護者の人間としての感受性に着目した検討が行われていない結果、被介護者にとって心身共に快適に安心して過ごすことができる空間の構築が求められるという長寿社会対応住宅の根本的要請に応えたものではなかった。
【０００７】
したがって本発明は以上の従来技術における問題点に鑑み、体力の優劣や移動及び生活動作能力の高低及び被介護者への思いやりに基づき使用効率が実質的に向上されて被介護者が心身共に快適に安心して居住できる環境を実現することができる住宅を提供することを目的とする。
【課題を解決するための手段】
【０００８】
すなわち本発明の住宅は、廊下を介して対向する位置に寝室と洗面脱衣室とが配置されると共に前記寝室と前記洗面脱衣室との間に便所が配置され、前記廊下と前記寝室との間及び前記廊下と前記洗面脱衣室との間及び前記廊下と前記便所との間に出入り口が設けられ、その出入り口には引き戸が設けられ、前記便所内の着座位置の前後方向と前記廊下と前記便所との出入り口の出入り方向とが交差し、かつ前記引き戸の開閉方向と前記便所内の着座位置の前後方向とが同一方向となる様に前記便所内に便器が配置され、前記出入り口の引戸が設けられた壁面の便器の側面は固定された間仕切り壁が設けられ、便座の両側面及び背面及び正面は壁で囲われており、さらに前記寝室及び前記廊下と隣接して居間・食事室が配置され、前記寝室及び前記廊下と居間及び／又は食事室（以下「居間・食事室」とする）との間に出入り口が設けられ、前記居間・食事室を介して前記寝室とは反対側で前記居間・食事室に隣り合う位置の、前記第１層の床より半階高い第２層上に居室が設けられ、前記居間・食事室には、前記第２層に上がる階段が設けられることを特徴とする。
【００１０】
以上において便所内の着座位置の前後方向とは、用便者が用便のために便器に着座した状態におけるその用便者の着座姿勢における前後方向である。
したがって以上の様に便所内の着座位置の前後方向と前記廊下と前記便所との出入り口の出入り方向とが交差する様に前記便所内の便器が設置され、また、廊下と便所との出入り口に引き戸が設けられる場合には、その引き戸の開閉方向と便所内の着座位置の前後方向とが同一方向となる様に便所内に便器が配置されることから、被介護者が便器に着座している状態で介護者が便所内外に出入りする場合にも、その出入り方向が便器に着座している被介護者の前後方向と交差する、若しくはほぼ直交する方向であることが保証され、介護者の便所内外間の出入り方向は便器に着座している被介護者の横方向のみであることが保証される。しかも前記便器に着座した状態の左右両則には固定された間仕切り壁が設けられ前記引き戸によって開閉される前記出入り口は前記固定された間仕切り壁に形成されるので、前記便器に着座した状態で背部及び左右両側部が固定された間仕切り壁によって囲まれるので、用便者は側方が引き戸によって仕切られるのではなく固定された間仕切り壁によって廊下と仕切られており、その領域が開閉される様な不安はなく、ゆっくりとした安心感を持つことができる。
【００１１】
加えて本発明の住宅は、廊下を介して対向する位置に寝室と洗面脱衣室とが配置されると共に前記寝室と前記洗面脱衣室との間に便所が配置され、前記廊下と前記寝室との間及び前記廊下と前記洗面脱衣室との間及び前記廊下と前記便所との間に出入り口が設けられ、その出入り口には引き戸が設けられ、前記便所内の着座位置の前後方向と前記廊下と前記便所との出入り口の出入り方向とが交差し、かつ前記引き戸の開閉方向と前記便所内の着座位置の前後方向とが同一方向となる様に前記便所内に便器が配置され、前記便器に着座した状態の左右両則には固定された間仕切り壁が設けられ前記引き戸によって開閉される前記出入り口は前記固定された間仕切り壁に形成されており、さらに前記寝室及び前記廊下と隣接して居間・食事室が配置され、前記寝室及び前記廊下と居間・食事室との間に出入り口が設けられ、前記居間・食事室を介して前記寝室とは反対側で前記居間・食事室に隣り合う位置の、前記第１層の床より半階高い第２層上に居室が設けられ、前記居間・食事室には、前記第２層に上がる階段が設けられることを特徴とする。
以上の本発明の住宅では寝室及び前記廊下と隣接して居間・食事室が配置され、前記寝室及び前記廊下と居間・食事室との間に出入り口が設けられてなるので、居間・食事室からの前記寝室へのアクセスが迅速かつ容易となる。
【００１２】
係る本発明の住宅では前記寝室には建物外部への出入り口が設けられる様にすることによって、訪問介護、看護等の外部サービス、病院等外部からの前記寝室への緊急時のアクセスが迅速かつ容易となる。
【００１３】
係る本発明の住宅では前記寝室及び前記廊下との間の出入り口が設けられた前記居間・食事室の一側部と対向する前記居間・食事室の他側部に玄関への出入り口が設けられる様にすることによって、家族等の玄関からの日常の出入りによって外気温の影響を受けやすい玄関と前記寝室とが居間・食事室によって遮断され、前記寝室の温度を恒温に保つことが容易になる。
【発明の効果】
【００１４】
本発明の住宅によれば廊下を介して対向する位置に寝室と洗面脱衣室とが配置されると共に寝室と洗面脱衣室との間に便所が配置される結果、浴室、便所、洗面脱衣室は被介護者等の寝室からのアクセスという点を中心的要請として配置され、被介護者の居室たる前記寝室と洗面脱衣室及び便所との往来が容易となり、弱者たる被介護者の体力に着目した被介護者にとって安心感のある効率の良い住環境を実現することができる。
また前記寝室及び前記廊下と隣接して居間・食事室が配置され、前記便所を囲む４面の壁のうち前記引き戸を有する壁とその両側の壁を介して前記洗面脱衣室と、前記廊下を介して前記居間・食事室と、前記寝室とにより前記便所は完全に囲まれ、半島状に突出した状態とされて、それぞれの部屋の中心に近い位置に前記引き戸を有する出入り口が設けられるので、介護者が何れの部屋に所在する場合であっても被介護者が所在する便所への移動距離を最小にすることができ、介護しやすく不慮の事故を防止することができる。
また前記居間・食事室を介して前記寝室とは反対側で前記居間・食事室に隣り合う位置の、前記第１層の床より半階高い第２層上に居室が設けられ、前記居間・食事室には、前記第２層に上がる階段が設けられることによって第２層上の居室を介護者の寝室として用いることができ、係る寝室は被介護者等の寝室へのアクセスという点を中心的要請として配置される。すなわちこの第２層上の居室は、第１層の床より半階高い所に設けられるので第２層に至るための階段の上り下りも過度に負担を生じるものではなく、居間・食事室からの上下しやすさが図られて介護者が被介護者等の寝室へ機敏にアクセスできるようにされている。
本発明の住宅によれば体力の優劣や移動及び生活動作能力の高低に応じて各生活機能空間が実質的に効率よく配置されて被介護者及び介護者が快適に気持ち良く居住できる環境が実現されている。
したがって本発明の住宅によれば被介護者及び介護者双方に対し思いやりのある住宅を実現することができる。
【発明を実施するための最良の形態】
【００１５】
［第一の実施の形態］
以下に本発明の住宅を実施するための最良の形態につき図面を参照して説明する。
図１は本発明の第一の実施の形態に係る住宅の平面図である。
本実施の形態の住宅１にあっては住宅１の基本生活空間、すなわち被介護者の日常生活を最低限確保するために必要な「就寝」「排泄」「洗面」「脱衣・入浴」「昼間の活動・食事」および「アプローチからの出入り」に供する空間を構成する要素としての玄関２、便所３、洗面脱衣室４、浴室５、居間・食事室６及び被介護者等の寝室７、廊下８が同一階に配置される。
【００１６】
また、住宅１ではその様に同一階に配置された住宅１内に居住する際に必須となるすべての機能の中で、寝室７と洗面脱衣室４と便所３との配置に関し、図示される様に、廊下８を介して対向する位置に寝室７と洗面脱衣室４とが配置されると共に寝室７と洗面脱衣室４との間に便所３が設けられるという配置が採用される。この被介護者等の寝室７とは、住宅１新築時に被介護者等が居住しない部屋であっても、将来被介護者等の寝室７に用いることが想定される居室を含む。
【００１７】
以上の様に便所３の水周りを寝室７に近づける配置が採用された結果、被介護者にとって安心感のある住環境を設定できる。
すなわち、一般に被介護者、例えば高齢者は便所３に行く頻度が高く、夜間であっても便所３の使用をする必要が多い。夜間就寝時の便所３の利用は、意識がもうろうとしているなど、事故が起きやすい。しかも特に被介護者については、一般に脚力の低下が著しく、例えば立ち上がるときに足がしびれる等の脚力低下に伴う問題がある。住宅１ではこの様な問題を便所３を寝室７に隣接することによって緩和することができる。
またこれによって、高齢者が便所に行く回数を減らすために自分で水分補給を控え、さらには高齢者が自分で便所に行くまでの時間を考えて行動しなければならず、便所までの距離が遠い場合に、介護者の介助負担を気遣うなどの、被介護者自身が煩雑な気遣いを行う必要性を軽減することができる。
【００１８】
また、廊下８と寝室７及び廊下８と洗面脱衣室４及び廊下８と便所３それぞれの間にはそれぞれ出入口８−１，８−２，８−３，８−４が設けられ、その各出入口８−１，８−２，８−３，８−４は引き戸とされている。これによって開き戸である場合に通行の方向に戸が開閉されることから開閉が困難であり、また、例えば高齢者が開閉動作を行った場合、バランスを崩しやすく、転倒するおそれを軽減することができる。さらに車椅子に乗る人がその様な開閉動作を行う場合には前後の移動を行わなければならないという問題が解消されている。また特に廊下８と便所３との出入り口８−３に設けられる引き戸８−３ａには防音構造を採用し、若しくは防音処理を施すことによって寝室７に開閉音、便所３の使用音等が届くことによる弊害を低減している。
【００１９】
被介護者にとっては移動の際の通行幅の検討が現実に安全な移動をするに当たって必要となる。したがって住宅１では廊下８等の通路及び出入口８−１，８−２，８−３，８−４の通行幅は歩行補助具及び介護用車いすの使用に配慮した幅員を確保し、円滑な通行を可能とするために８００〜８５０ｍｍの幅員とされる。
また以上の出入口８−１，８−２，８−３，８−４の引き戸はこれを取り扱いやすくするためにつかみやすい形状、材質で大きな引手が適切な位置に設置される。
【００２０】
便所３は、介護可能な広さを確保したものとされ、出入り口８−３の出入り方向Ａと便所３内における着座位置の前後方向Ｂとが交差する様に、出入り口８−３の引き戸８−３ａの開閉方向Ｃと便所３内の着座位置の前後方向Ｂとが同一方向となる様に便所３内に腰掛け式の便器３−１が配置される。
【００２１】
その結果、住宅１では便所３内における着座位置の前後方向に対して出入り方向を横方向として廊下８から便所３内に入ることができる。これによって便所３内に正面から入る様な配置である場合に便器３−１の使用者の局部が視認される可能性が生じることを防止することができる。この点は被介護者及び介護者双方の心に着目し、その人格的尊厳を保護するという点からは軽視できない重要な利点となる。また、介護者が介護を行う場合には横方向から便所３内に入ることができる方が良く、介護作業に必要となる力を低減することができるという利益も生じる。
【００２２】
また便所３内部は旋回できるだけの介護スペースを確保した大きさとし、具体的には内法で間口１，５００ｍｍ以上、奥行１，７００ｍｍ以上とする。すなわち一般に介護者は、便器３−１の横か斜め前方向に立ち、介護する。この様に前傾姿勢をとり、腰を後方に突き出す介護作業が容易となる様に便所３内部の有効幅員を確保する。また、腰掛け式の便器３−１は座って身体を維持させることができ、長時間使用する場合に身体を維持できると共に、便器３−１に座って、立ち上がる動作を行う際に前かがみになって立ち上がれる大きさとする。  
【００２３】
また、便所３内には便器３−１に座った用便者が、楽に掴みやすい位置にＬ字手すり若しくは垂直手すり３−２が設けられており、同時にそのＬ字手すり若しくは垂直手すり３−２の近傍には紙巻器３−３が配置される。なお、紙巻器３−３の位置は介護者が介護の際に使いやすい位置であって、かつ用便者が自分で使いやすい位置に設定される必要があり、その結果、Ｌ字手すり若しくは垂直手すり３−２と紙巻器３−３の位置は結果的に重複する。したがって住宅１では紙巻器３−３の位置との関係で、Ｌ字手すり若しくは垂直手すり３−２の位置が適切に検討される。例えば紙巻器３−３の位置近傍の上方から鉛直上方に向けてＬ字手すり若しくは垂直手すり３−２が延在する様な配置を選択する。
なお、便所３には通報装置（図示せず）を設け、この通報装置は座っているときに押せることはもとより、床に倒れたときにも押せる様にする態様が好ましい。さらになお、出入り口８−３は、段差なしとするとともに、濡れても滑りにくい掃除のしやすい床材が選択される。
【００２４】
住宅１では洗面脱衣室４及び洗面脱衣室４に隣接する浴室５も寝室７に近接配置される結果、寝室７における被介護者は洗面脱衣室４で服を脱いですぐに浴室５に入ることができる。
【００２５】
この洗面脱衣室４は全体として手洗い等の利便性に配慮したものとされており、特に洗面脱衣室４における脱衣領域４−１は、衣服の着脱等の安全性等に配慮したものとされている。
具体的には洗面脱衣室４の洗面台４−２はその上面が８００ｍｍぐらいの高さにされ、これによって腰をかがめることが困難である、あるいは現実に腰をかがめることができないという被介護者の利便性に配慮したものとされている。
この場合、車椅子を使用する場合は椅子に座ったまま洗面をすることができるようにするためには洗面台４−２はその上面が７５０ｍｍぐらいの高さに設定されるのが適当であることから、住宅１では車椅子を使用する場合と使用しない場合とで異なる高さの基準が採用される。このため、高さを可変できる洗面台の採用が検討される。
また洗面台に備えられる鏡については、車椅子の使用者が座位で使用する場合も、健常者が立ち居で使用する場合も不都合なく使用できる様に、洗面台カウンター面から立ち位時に顔が位置する高さまで縦方向に延長して配置される。
なお、洗面台４−２には収納部（図示せず）を備える場合であっても、例えば車椅子の使用者が洗面台に座位のまま接近して使用することができる様に、洗面台の洗面器下部に膝が入るスペースを形成するために、洗面台の下方には空きスペースすなわちけ込み（図示せず）を設けるのが望ましい。
【００２６】
一方、脱衣領域４−１については、ベンチ４−３を置くことができる余裕を持った大きさとされ、これによって介護者のスペースが確保されると共にベンチ４−３が設備されることによってベンチ４−３に着座して靴下を脱ぐという動作が可能ともなり、靴下を脱ぎにくいという問題が解消されている。また、介護者が被介護者を着座させ、脱衣、着衣することも可能となる。さらに、体力の消費による疲労を伴う入浴後の休憩の用に供することもできる。
また、掃除流し４−４が設けられており、これによって通常の屋内の掃除に好便であるだけではなく、洗面台４−２の洗面器では洗いにくい汚れ物を落とす作業をこの掃除流し４−４で行うことができる。
なお、住宅１では脱衣領域４−１に敷設されたマット等の敷物（図示せず）の摩擦が低くつるつるするところだけではなく、摩擦が高いところもふみ具合ですべり、つまずいたりする危険を解消するための考慮が行われる。
【００２７】
住宅１では浴室５の広さの下限は一坪とされ、これによって介護可能な広さが確保される。介護者の円滑な動作が可能である広さであることを考慮して短辺方向の内法を最低１，６２０ｍｍの大きさとする。これによって介護者が被介護者を前から抱きかかえて自らを中心に回転させて、浴槽５−１と洗い場５−２との間を移動する介護入浴の対応も容易となる。
また浴槽５−１自体は、人が一人入れるぐらいの大きさ、すなわち座るスペースがある程度とされている。これによって浴槽５−１内で容易に身体を保持することができ、広すぎることによって身体を保持するのが困難となる問題を解消している。
【００２８】
一方、浴槽５−１に対し洗い場５−２を大きくすることによって介護者の作業が容易になる様に考慮されている。また、浴槽５−１の底面から縁の上面までの高さは、入浴する人が縁の上面に腰掛けた状態で、その人の足裏が浴槽５−１の底面に届く高さとされる。またそれと共に洗い場５−２の上面から浴槽５−１の縁の上面までの高さは４００〜４５０ｍｍ程度とされている。この高さは洗い場５−２に設置された椅子に座ったときに丁度良い高さであると共にまたぐのが楽なまたぎ寸法を考慮した高さであって、被介護者が自分ではかがめない場合があることや、浴槽５−１に自分で入ることができる場合、若しくは自分で入ることができない場合のそれぞれを考慮した高さとして設定される。
また住宅１では浴室５に便所５−３を付設し、これによって浴槽５−１、洗い場５−２、便所５−３の３点セットを基本仕様とすることができる。さらに浴槽５−１、洗い場５−２に代えてシャワー（図示せず）を準備する態様の採用も可能である。
【００２９】
さらに、浴室５には手すり５−４が設けられる。この手すり５−４は実際の使用状態の状況に応じて後付けするものとして準備することができ、一方動作上多少でも危険があると経験的に予測される位置に予め付設しておくこともできる。
浴室５への出入り口５−５には引き戸が設けられる。これは開き戸はスペース効率だけではなく使用上不都合であり、また折れ戸にしても出っ張っており、使用上好ましくないからである。
加えて住宅１では特に被介護者対応として、浴槽５−１の底面がエンボス加工によって滑りにくくされており、その浴槽５−１の縁は少なくともその一部が握りやすい幅である様にして、入浴時の体勢保持をし易くすることができる。
【００３０】
寝室７は少なくとも約１２平方メートルのスペースが確保される。これによってベッド７−１の周りからの被介護者の介護が可能となる。また、寝室７についてはその全体構造及び付帯設備によって遮音性能の向上が図られる。
押入れ７−２については収納領域の高さが１，５００ｍｍでも高い場合があり、収納棚の高さは被介護者である被介護者の体格・年齢・腰の曲がり具合等を考慮して設定することができる。
雨戸やシャッターは、できるかぎり軽く、操作しやすいものとする必要がある。リモコン（図示せず）によって開閉操作が可能な電動シャッターを用い、併せてカーテンの開閉、換気装置の起動・停止等をリモコンによって行うことができる様にすることができる。
【００３１】
ベッド７−１の高さについては、寝室７内にベッド７−１以外に備え付けられる家具と共に総合的に検討することができる。例えば背が低い人は高いベッド７−１には腰掛けることができない。しかし、腰や膝などの体の動きを支持する関節部が悪い人はベッド７−１があまり低い場合には座るときに自然に静かに座ることが難しくなる。
なお、住宅１では寝室７につきベッド７−１の周りからの介護を可能とする充分な広さを確保するが、反面、寝室７内で倒れた場合などには手すりがないとすぐに立ち上がることができないという問題を考慮する必要がある。したがって、必要に応じて手すりの代わりになる安定感のある机７−３や椅子７−４等の設置が行われる。
また、寝室７には建物外部への出入り口７−５が設けられる。
【００３２】
さらに、住宅１では寝室７及び廊下８と隣接して居間・食事室６が配置され、これによって被介護者等の寝室７と便所３、洗面脱衣室４、居間・食事室６の近接配置が実現される。ここで近接配置の近接とは配置の検討対象となる双方の部屋の間に２つ以上の部屋が配置されていないことを言う。
【００３３】
被介護者の日常生活では、夜間は被介護者等の寝室７、昼間は居間・食事室６が行動の拠点となる。また、最も項度が高く、緊急度も高いのは便所３への移動である。したがって、この寝室７、居間・食事室６、便所３の３部屋が近接していることが重要となる。また、洗面脱衣室４は入浴時に尿意をもちやすいという意味でやはり便所３に近接していることが望ましい。
また寝室７及び廊下８と居間・食事室６との間に出入り口７−６、出入り口８−４が設けられ、これによって寝室７と居間・食事室６との相互間の移動が容易に行える。
【００３４】
この様に寝室７と居間・食事室６の近接配置が行われることによって居間・食事室６内の家族は寝室７における被介護者の気配がわかり、緊急時の対応も容易である。また訪問介護・看護等の外部サービススタッフ等が居間・食事室６に待機することが可能となる。
【００３５】
また、廊下８と居間・食事室６との間に出入り口７−６、出入り口８−４が設けられ、これによって、昼間の活動の中心であり、被介護者のみならず家族の滞在時間が長く、その結果として便所３への移動頻度が高い居間・食事室６から便所３への移動も効率的に行うことができる。また居間・食事室６内の家族は便所３における被介護者の気配がわかり、安心感がある。
【００３６】
居間・食事室６は、可及的に段差がない空間とされて被介護者の移動および生活動作が安全かつ容易に行われ、快適な室内環境である様に考慮される。
この居間・食事室６における家具の選択に当たっては、全体の調和及び美観に基づき、家具については居間・食事室６自体の内部形状との関係で統一的に検討されている。その様にすることによって、例えば過剰に柔軟なソファ６−１が不用意に設備されて被介護者の動作が妨げられる危険が生じる等の、家具の選択及び設備に起因する問題の発生を未然に防止することができる。また椅子６−２の脚部の高さや、背もたれの高さにも被介護者の移動および生活動作との関係で事前に配慮することができる。
【００３７】
また居間・食事室６には直接外部に繋がる出入り口６−３が設けられ、この出入り口６−３には電動雨戸シャッター６−４が配設される。
この様に、寝室７には建物外部への出入り口７−５が設けられ、居間・食事室６には直接外部に繋がる出入り口６−３が設けられる結果、被介護者が日常的に居住する寝室７、居間・食事室６から直接に住宅１の内外に出入りがしやすいので、被介護者の生活の幅が広がり、気持ちの良い居住環境を実現できる。またそれだけではなく、介護者にとっても被介護者を外に出しやすいだけではなく洗濯物を干す等の日常作業も行いやすいという利点も生じる。また出入り口７−５、６−３からの緊急退避その他救急対応が可能となる。
【００３８】
なお、居間・食事室６の出入り口７−６、出入り口８−４が設けられた一側部と対向する他側部には玄関２への出入り口２−１及び寝室７とは別の寝室９が設けられる。
したがって、居間・食事室６を介して玄関２とは反対側に被介護者等の寝室７と便所３とが相互に近接配置される結果、寝室７から便所３に行くまでの温度差を低減することができる。これに対して玄関２近くに便所３がある場合には、冬には寝室７から便所３に行くまでに温度差があって、被介護者に対する精神的・肉体的な悪影響は少なくない。
【００３９】
寝室７とは別の寝室９は例えば介護者の寝室として用いることができ、介護者は夜間必要に応じて居間・食事室６に待機することができ、また寝室９で休むこともできる。この場合に、一般に充分な体力を備える健常者である介護者自身にとっては、居間・食事室６を介して反対側に便所３があることは何ら不都合はない。寝室９が玄関２に隣設される点も、特に不都合を生じる事情はない。
【００４０】
住宅１は以上の特徴を有して構成される結果、被介護者等の寝室７と便所３、洗面脱衣室４、居間・食事室６の可能な限りの近接配置という要請を実現すると共に、介護に好便でかつ安全快適な全体構成を実現することができる。特に、家族全体の居室である居間・食事室６と介護者の寝室として用いることができる寝室９は被介護者等の寝室７へのアクセスという点を中心的要請として配置され、一方、浴室５、便所３、洗面脱衣室４は被介護者等の寝室７からのアクセスという点を中心的要請として配置されたことによって、体力の優劣や移動及び生活動作能力の高低に応じて各生活機能空間が実質的に効率よく配置されて被介護者が快適に気持ち良く居住できる環境が実現されている。
【００４１】
以下に住宅１の実施の形態における寝室７、便所３、洗面脱衣室４、居間・食事室６以外の領域を各空間別に説明する。
先ず、住宅１へのアプローチ通路１０は、そのスロープ勾配をゆるやかな設定として歩行及び車いす利用に配慮する必要がある。係る必要性に基づき、地盤すなわちアプローチ通路１０の始点１０−１から床１１までの高さが１５０〜３００ｍｍぐらいに設定されている。
【００４２】
なお、この場合に住宅１の施工に当たって基礎銅製型枠の大きさが決まっている時には布基礎部分が高くなり、床までの高さが不可避的に高くなる結果、スロープ勾配が大きくなることを避けることができない。
その様にスロープ勾配が大きくなると自立の車椅子では、アプローチ通路１０を登ることができないし、アプローチ通路１０が長いと体力が続かないという点を配慮する必要がある。したがって、そのような場合にはアプローチ通路１０の途中に適宜休憩用の平場１０−２を設ける。
【００４３】
さらに、場合によっては段差解消機の設置を検討する必要があるが、機械を用いる場合には設置コストのみならず運用コスト及び故障対応等のメンテナンスの問題があり、住宅１では他に対応手段がない場合の、いわば最後の手段としてその採用を検討する。
【００４４】
同様に、本実施の形態では図示されていないが屋外階段（図示せず）が設けられる場合には、階段の勾配、形状等は、被介護者にとって昇降の安全上の支障がないものとする必要がある。この点、踏面と蹴上げが（２６０，１６０）ｍｍ程度のゆるい階段であれば、安全であり踏面と蹴上げが（２５０，２００）ｍｍだと傾斜が大きくきつい。この階段を使用する際の安全性確保の点からは、踏み板が大きいことが必要であり、２６０ｍｍは足の大きさを基準として、さらにゆとりをもたせた大きさであって、足の大きさに由来する。また両側に手すりを設けると、降りるとき、上るとき共に安全である。
また、特にゆるい階段を設ける方法として階段室の内法寸法が１，８００ｍｍ×３，３００ｍｍのスペースに回り階段をつける様にすることもできる。
【００４５】
以上のアプローチ通路１０や屋外階段の廻りにフットライト（図示せず）を含めた屋外の照明設備（図示せず）を設ける場合には、安全性に配慮して十分な照度を確保する。特にアプローチ通路１０にフットライトを設置する場合には、足元だけではなく、できるだけ進行方向の広範囲を照射する様にする。
【００４６】
玄関２については、玄関２の出入口２−２に生じる段差は、安全性に配慮し、可能な限り平らにされている。また玄関２自体はベンチ（図示せず）が設置できる空間とされ、さらに上がりかまち２−３の段差は、安全上支障のない高さとされて、必要に応じて式台（図示せず）が設置される。
この様にすることによって靴脱ぎを安全に行うことができる。
なお、本実施の形態では明らかにされていないが、住宅１では車椅子を屋内外で履き替える場合に対応する設備・構造も必要に応じて採用される。
【００４７】
台所１２については、椅子に座ったまま給排水ができる様にシステムキッチン１２−１の高さが検討され、コンロ１２−２の高さにも考慮が行われている。これによって身体が悪くなると料理をする意欲を失いがちになるという被介護者に認められる事情を考慮して、可能な限り料理をする意欲を削がない対策が施されている。また車椅子使用者について車椅子のための通路幅を確保するため、通路幅が１，２００ｍｍ程度とされている。
【００４８】
また電気設備について、一般よりも低い位置にスイッチ（図示せず）を設け、それと共に特にガス漏れ検知器（図示せず）の設備が行われている。特に住宅１ではガス漏れ検知器の機能が重視され、ガス漏れがにおいで分かり、その場にいる人がガス漏れを認識し、自分でその対処ができるものとすることが検討される。
【００４９】
この様にすることによって台所１２に関し、安全かつ容易な移動が可能となり調理が安全かつ容易に行え、感覚機能（温熱感覚・嗅覚・視力）の低下を補完すると共に非常の際の対策が施される。
【００５０】
以下に住宅１の実施の形態における各空間相互間の経路その他の付帯設備に関して説明する。
被介護者が車椅子を使用する場合にはその対応について介護の車椅子（被介護者はひざに手をおく）であるのか、自力の車椅子（車いすを自力で動かす）であるのかにより、開口部の大きさに配慮が必要となる。この車椅子は（ＪＩＳ）によって大きさが標準化されており、旋回可能スペースとして１，５００ｍｍ角のスペースを見込む必要があり、また扉の幅は８５０ｍｍあると十分な余裕が生じる。
【００５１】
さらにその他の対応としては、被介護者が日常的に居住する寝室７、居間・食事室６から住宅１の外に出やすくする必要がある。その様にすることによって、被介護者が快適にそのまま住宅１の外に出ることができる気持ちの良い居住環境を実現できるだけではなく、その様に住宅１の内外の出入りがしやすいと、被介護者の生活の幅が広がるという利点もある。
しかしその様に被介護者が日常的に居住する寝室７、居間・食事室６から住宅１の外に出やすくするという場合にその経路に一段でも段差があると内外の出入りが困難になるという問題が生じる。したがって係る段差に関し、玄関２の出入口２−２及び上がりかまち２−３、浴室５の出入口５−５、バルコニー（図示せず）や寝室７から外部テラス１３への出入り口７−５や居間・食事室６から外部テラス１３への出入り口６−３等の不可避的に段差が生じる部分を除いて、住宅１内の床は、原則として段差のない構造とされる。
【００５２】
また、この不可避的に段差が生じる玄関２の出入口２−２及び上がりかまち２−３、浴室５の出入口５−５、寝室７から外部テラス１３への出入り口７−５や居間・食事室６から外部テラス１３への出入り口６−３についても段差は３ｍｍ以下とされる。段差が３ｍｍを超えると実質的に移動の障害となると認められるからである。
また特に玄関２周りの出入口２−２及び上がりかまち２−３の段差は１８０ｍｍ以下とされている。これは居住する被介護者の足がどれくらい上がるかということとも関係する事項である。さらにバルコニーや外部テラス１３への出入り口７−５や出入り口６−３は可及的にフラットにされている。
【００５３】
さらに床材には全体的に滑りにくくすることによって、つまずきや踏み外しによる転倒、転落を防ぎ、安定した姿勢で容易に移動できるようにするための素材が採用される。特に毛足が長いカーペットはスリッパで歩行する場合には転び易くなり摩擦力が過剰で車椅子による移動が困難になる。
【００５４】
さらに住宅１では便所３におけるＬ字手すり若しくは垂直手すり３−２や浴室５における手すり５−４以外にも階段（図示せず）や、玄関２、洗面脱衣室４、居間・食事室６、被介護者等の寝室７及び廊下８等には、手すり（図示せず）を予め設けるか、状況に応じて設置できるようにする。被介護者にとっては移動および生活動作に当たって手すりの存在が心強く又現実に安全な移動をするに当たっても必要となるからである。この手すりは使用しやすい形状、材質とし、適切な位置に設置する。
【００５５】
すなわち、支える手すりと、つかんで歩く手すりでは自ずと高さ位置や形状、材質も異なるので、Ｌ字手すり若しくは垂直手すり等の立ち上がるための手すりや支えるための手すりと、つかんで歩くための手すりの必要性が区別して検討され設備される。
例えば、Ｌ字手すり若しくは垂直手すり等の立ち上がるための手すりや支えるための手すりは完全に握れるようにするためには細いほうが良いが荷重が係る点を考えると一定以上の強度材が用いられる必要がある。一方、つかんで歩くための手すりは必ずしも完全に握ることができる必要はなく特にその様に細くする必要はない反面、つかんで歩くための手すりとして用いやすい配置の高さが重要となる。
【００５６】
このつかんで歩くための水平手すりの高さは日本人の標準身長から大転子子骨（大転子頂点）の高さが目安となり一般的には床から約７５０ｍｍ程度とするのが望ましい。ただしこの高さは、日本人の標準身長等の変化に伴い時間を隔てて変わっていくことを考慮する必要がある。
なお、水平手すりの場合、水平手すりと縦手すりとを組み合わせて、連続した動作の中で取り扱いができる様にドアノブ（レバーハンドル）や引き手の高さにも配慮することが必要となる。また、被介護者が女性である場合に、その身長及び姿勢を考慮に入れた場合には、手すりの高さは異なるものとなる。
【００５７】
住宅１内の床・壁の仕上げは、すべり、転倒等に対する安全性に配慮したものとされ、すべり、転倒しない仕上げであるだけではなく、例えば床材は色の変化が施されたものとされている。それによって色の変化に基づき勾配の存在を認識することができ、被介護者にとって特に意識しなくても現実に安全な移動および生活動作を行うことができる居住環境とされている。
【００５８】
住宅１にあっては、建具の引き手及び錠（図示せず）は被介護者でも使いやすい形状が検討され、被介護者でも簡単に取り扱える適切な位置に取り付けられている。
これによって、建具は被介護者でも開閉がしやすく、安全性に配慮したものとされている。
【００５９】
住宅１にあっては、住宅１内の給水給湯設備、電気設備、ガス設備は、構造及び操作が簡単なものを適用し、十分な照度の照明設備が安全上必要な箇所に設置される。
また水栓開閉については操作の容易なレバーハンドル水栓または操作の不要な自動水栓（図示せず）が配設される。これによって無理な姿勢をすることなく車椅子利用者が容易に水栓を使用することができる。
また、テレビ付きインターホンが設置されて可及的に簡便に来訪者への応対が可能である様にされている。また分電盤（図示せず）は、非常時の送電停止後の復旧操作の容易性を考慮して、低い位置に設られている。また火災その他の非常の際に通報できる通報装置及び警報装置（図示せず）が付設される。
以上によって、被介護者でも操作が容易で簡単に取り扱うことができ、被介護者の立場から安全性に配慮した設備とされている。
【００６０】
住宅１は暖冷房設備等を用い年間を通じて適切な温度に維持できることができる構造とされている。またエアコンシステムの冷媒、床暖房の採否、夜間の温度調節、特に２４時間暖房の採否等が検討されると共に断熱及び換気に配慮して住宅１内の各居室等の温度差をできる限り少なくして、各領域が一定温度に維持される。また比較的に大空間の居室等についてはこれを建具（図示せず）で仕切って狭いスペースに区画し温度調節を容易にすることが検討される。
また、例えば出入口８−４に設けられる建具８−４ａによって、被介護者等が夜間に居室する寝室７と被介護者等が夜間に頻繁に利用する便所３、廊下８の領域と玄関２、居間・食事室６の領域につき夜間のゾーン分けを行い、ランニングコストを低減することもできる。
【００６１】
［第二の実施の形態］
住宅１では収納関係について日常使用する収納スペースは、適切な量を確保するとともに、被介護者が無理のない姿勢で出し入れできる高さに収納スペースが設けられる。一般的に収納力は向上されるのが望ましく、住宅１が２世帯住宅として構成される場合、収納が大きいことが必須となる。この様な要請に応える大型収納空間を備えた本発明の第二の実施の形態の住宅１につき以下に図２乃至図４を参照して説明する。
【００６２】
図２は本発明の第二の実施の形態の住宅１の第１層１４の平面図であって、被介護者等の寝室７と便所３、洗面脱衣室４、居間・食事室６が同一階に近接配置されてなる点は図１に示す実施の形態の住宅１と同様である。図３は図２に示す住宅１の第２層１５と第３層１６の平面図である。図４は図２に示す住宅１の第１層１４と第２層１５と第３層１６の平面図である。
【００６３】
本実施の形態の住宅１にあっては、被介護者等の寝室７と便所３、洗面脱衣室４、居間・食事室６が同一階に近接配置され、玄関２のある第１層１４の床上に、居間・食事室６に隣り合う位置に、第１層１４の床より半階高い第２層１５が設けられる。この第２層１５上には居室１５−１、１５−２が設けられる。また、第２層１５の床下であって居間・食事室６に隣り合う位置には大型収納区画を構成する蔵型収納室１４−１、１４−２が設けられる。この蔵型収納室１４−１、１４−２の出入口１４−３は居間・食事室６に面して設けられ、また居間・食事室６には、第２層１５に上がる階段１７が設けられる。したがって本実施の形態の住宅１において住宅蔵型収納室１４−１、１４−２が設けられる位置は、図１に示す第一の実施の形態の住宅１において玄関２に隣設され、介護者の寝室として用いられる寝室９が設けられる位置にほぼ該当する。
【００６４】
さらにこの第２層１５を通って、さらにこの第２層１５よりも半階上がった位置であって、玄関２上に位置する第３層１６に居室１６−１が設けられる。また第２層１５には、第１層１４から第２層１５に至る階段１７に連なり、かつ第１層１４の玄関２上に位置する第３層１６への階段１８に連なる廊下１５−３が設けられる。
【００６５】
この様に蔵型収納室１４−１、１４−２を設けることによって充分な収納面積を確保することができる。また蔵型収納室１４−１、１４−２があれば、居室をすっきりと片づけることができ、地震等の際、家内事故の危険から身を守りやすくなり、また蔵型収納室１４−１、１４−２を設ける結果としてそれぞれの居室に余計なものを置く必要がなくなるため、いつもすっきり広びろとした快適な居住空間が同時に被介護者にとっても安全な移動および生活動作が可能な居住空間となる。  
また、被介護者の宝物とも言える思い出をしまっておく余裕を生み出すことが可能なだけでなく、また日常的に使用するものを常置することもできる。
【００６６】
さらに、以上の様に床下に蔵型収納室１４−１、１４−２を形成する第２層１５の高さが第１層１４から半階高くされている結果、平均的な身長の大人が腰や頭を少し低くした状態、あるいは椅子に座った状態で蔵型収納室１４−１、１４−２内を自由に移動することができる。またその程度の高さが確保されていれば、物品の搬入や搬出に不自由はなく、一方、第２層１５に至るための階段１７の上り下りも過度に負担を生じるものではない。
ここで半階とは、平均的な身長の大人が腰や頭を過度に低くする必要のない１，１００〜１，４００ｍｍの高さを標準とする。
【図面の簡単な説明】
【００６７】
【図１】本発明の第一の実施の形態に係る住宅の平面図である。
【図２】本発明の第二の実施の形態に係る住宅の平面図である。
【図３】図２に示す実施の形態に係る住宅の他の平面図である。
【図４】図２に示す実施の形態に係る住宅の別の平面図である。
【符号の説明】
【００６８】
１・・・住宅、２・・・玄関、２−２・・・出入口、２−３・・・上がりかまち、３・・・便所、３−２・・・Ｌ字手すり若しくは垂直手すり、４・・・洗面脱衣室、５・・・浴室、５−４・・・手すり、５−５・・・出入口、７・・・被介護者等の寝室、７−５・・・出入り口、６・・・居間・食事室、６−３・・・出入り口、８・・・廊下、１３・・・外部テラス。
【図１】
0005731356.tif 000002
【図２】
0005731356.tif 000003
【図３】
0005731356.tif 000004
【図４】
0005731356.tif 000005